(57)【要約】【課題】利便性の向上が図れるとともに、外観上好ましい構成を実現できるプロジェクターを提供する。【解決手段】プロジェクター２Ｕは、外装筐体２２に形成された投射口２２１Ａを介して画像光を投射するプロジェクター本体２０Ｕと、投射口２２１Ａを介して投射された画像光を透過させる光学素子２３Ｕと、光学素子２３Ｕを保持するとともに、外装筐体２２に対して着脱自在に装着される素子保持具２４Ｕとを備える。素子保持具２４Ｕは、素子保持具２４Ｕが外装筐体２２に装着された状態で、前面部２２１における投射口２２１Ａの周囲を覆う第１保持部材２５と、第１保持部材２５に対して画像光の光路上流側に設けられ、第１保持部材２５との間で光学素子２３Ｕを挟持する第２保持部材２６とを備える。第２保持部材２６には、素子保持具２４Ｕを外装筐体２２に装着するための装着部２６３が設けられている。【選択図】図６
2013218183.tif 000002
【特許請求の範囲】
【請求項１】
外装筐体と、前記外装筐体内部に配設され、画像光を形成して前記外装筐体に形成された投射口を介して前記画像光を投射する画像投射装置とを有するプロジェクター本体と、
前記投射口を介して投射された前記画像光を透過させる光学素子と、
前記光学素子を保持するとともに、前記外装筐体に対して着脱自在に装着される素子保持具とを備え、
前記素子保持具は、
前記素子保持具が前記外装筐体に装着された状態で、前記投射口が形成された前記外装筐体の前面部の少なくとも一部を覆う第１保持部材と、
前記第１保持部材に対して前記画像光の光路上流側に設けられ、前記第１保持部材との間で前記光学素子を挟持する第２保持部材とを備え、
前記第２保持部材には、
前記素子保持具を前記外装筐体に装着するための装着部が設けられている
ことを特徴とするプロジェクター。
【請求項２】
請求項１に記載のプロジェクターにおいて、
前記装着部は、
前記前面部に交差する底面部にネジにより固定される固定部を備える
ことを特徴とするプロジェクター。
【請求項３】
請求項１または請求項２に記載のプロジェクターにおいて、
前記装着部は、
鉤形状を有し、前記投射口に係止される係止部を備える
ことを特徴とするプロジェクター。
【請求項４】
請求項１から請求項３のいずれかに記載のプロジェクターにおいて、
前記装着部は、
前記外装筐体における前記投射口が形成された前面部に交差する底面部にネジにより固定される固定部と、
鉤形状を有し、前記投射口に係止される係止部とを備え、
前記係止部における前記底面部からの高さ位置は、前記投射口の中心位置における前記底面部からの高さ位置よりも高くなるように設定されている
ことを特徴とするプロジェクター。
【発明の詳細な説明】
【技術分野】
【０００１】
本発明は、プロジェクターに関する。
【背景技術】
【０００２】
従来、スクリーン上に画像を投射するプロジェクター（投射型画像表示装置）と、観察者に装着される偏光眼鏡とを備え、当該偏光眼鏡を通してスクリーン上の投射画像を立体視させるプロジェクションシステム（投射型立体画像表示装置）が知られている（例えば、特許文献１参照）。
特許文献１に記載されたプロジェクションシステムでは、２台のプロジェクターを用いて、スタック投射によりスクリーン上に投射画像を表示している。
これら２台のプロジェクターのうち、一方のプロジェクターにおいて、投射レンズから投射される画像光（左目用画像）の光路下流側（外装筐体の外部）には、１／２波長板が配設されている。
【０００３】
そして、一方のプロジェクターから投射された左目用画像（第１直線偏光）は、１／２波長板によって、第１直線偏光に対して偏光方向が直交する第２直線偏光に変換される。
他方のプロジェクターから投射された右目用画像（第１直線偏光）は、１／２波長板により偏光状態が変換されず、スクリーンにそのまま投射される。
また、偏光眼鏡は、第２直線偏光のみを透過させる左偏光レンズと、第１直線偏光のみを透過させる右偏光レンズとを備える。
そして、観察者は、偏光眼鏡を通して、左目にて左目用画像のみを視認し、右目にて右目用画像のみを視認し、視差により投射画像を立体視する。
【先行技術文献】
【特許文献】
【０００４】
【特許文献１】特開平７−３６００４号公報
【発明の概要】
【発明が解決しようとする課題】
【０００５】
ところで、上述した１／２波長板等の光学素子を外装筐体外部に配設する際には、以下の構成が考えられる。
例えば、第１の構成としては、光学素子を、接着剤により直接、外装筐体外面に固定する構成が考えられる。
また、例えば、第２の構成としては、光学素子を保持する素子保持具を用い、当該素子保持具を外装筐体外面にネジ等で固定する構成が考えられる。
【０００６】
しかしながら、第１の構成では、光学素子が外装筐体外面に接着固定されるので、光学素子を外装筐体外面から取り外すことができず、プロジェクターの利用形態が固定されてしまう。すなわち、光学素子が外装筐体外部に配設されていない状態（上記他方のプロジェクター）でプロジェクターを利用することができず、利便性の向上が図れない。
また、第２の構成では、外部から外装筐体に対する素子保持具の固定構造（ネジ等）が視認されてしまうと、プロジェクターの見栄えが悪くなる。
【０００７】
本発明の目的は、利便性の向上が図れるとともに、外観上好ましい構成を実現できるプロジェクターを提供することにある。
【課題を解決するための手段】
【０００８】
本発明のプロジェクターは、外装筐体と、前記外装筐体内部に配設され、画像光を形成して前記外装筐体に形成された投射口を介して前記画像光を投射する画像投射装置とを有するプロジェクター本体と、前記投射口を介して投射された前記画像光を透過させる光学素子と、前記光学素子を保持するとともに、前記外装筐体に対して着脱自在に装着される素子保持具とを備え、前記素子保持具は、前記素子保持具が前記外装筐体に装着された状態で、前記投射口が形成された前記外装筐体の前面部の少なくとも一部を覆う第１保持部材と、前記第１保持部材に対して前記画像光の光路上流側に設けられ、前記第１保持部材との間で前記光学素子を挟持する第２保持部材とを備え、前記第２保持部材には、前記素子保持具を前記外装筐体に装着するための装着部が設けられていることを特徴とする。
【０００９】
本発明では、プロジェクターは、光学素子を保持するとともに、外装筐体に対して着脱自在に装着される素子保持具を備える。
このことにより、光学素子を外装筐体外面に装着した状態、及び光学素子が外装筐体外面に装着されていない状態の双方の状態でプロジェクターを利用することができ、プロジェクターの利用形態が固定されない。このため、利便性の向上が図れる。
また、素子保持具は、上述した第１保持部材と、上述した装着部が設けられた第２保持部材とを備える。
すなわち、第１保持部材により外部から視認され難い位置に配設される第２保持部材に上述した装着部が設けられているので、外装筐体に対する素子保持部の固定構造が視認され難いものとなる。このため、プロジェクターの外観を好ましいものとすることができる。
【００１０】
本発明のプロジェクターでは、前記装着部は、前記前面部に交差する底面部にネジにより固定される固定部を備えることが好ましい。
本発明では、装着部が上述した固定部を備えるので、外装筐体に対する素子保持具の固定状態を安定化させることができる。
また、固定部が外部から視認され難い外装筐体の底面部に固定されるので、外装筐体に対する素子保持具の固定状態を安定化させつつ、プロジェクターの外観を好ましいものとすることができる。
【００１１】
本発明のプロジェクターでは、前記装着部は、鉤形状を有し、前記投射口に係止される係止部を備えることが好ましい。
本発明では、装着部が上述した係止部を備えるので、外装筐体に対して素子保持具を利用者に容易に着脱させることができる。
また、係止部が投射口に係止されるので、第１保持部材にて係止部を覆い隠すことができる。このため、外装筐体に対する素子保持具の着脱の容易化を図りながら、プロジェクターの外観を好ましいものとすることができる。
【００１２】
本発明のプロジェクターでは、前記装着部は、前記外装筐体における前記投射口が形成された前面部に交差する底面部にネジにより固定される固定部と、鉤形状を有し、前記投射口に係止される係止部とを備え、前記係止部における前記底面部からの高さ位置は、前記投射口の中心位置における前記底面部からの高さ位置よりも高くなるように設定されていることが好ましい。
【００１３】
ところで、外装筐体に対して素子保持具を装着する際に、上述した固定部を用いた場合には、固定部が外装筐体の底面部に固定されるため、素子保持具における底面部から離間した側が外装筐体の前面部に対して近接隔離する方向に移動してしまう恐れがある。すなわち、外装筐体に対して、光学素子を良好に位置決めすることが難しい。
【００１４】
本発明では、装着部は、上述した固定部及び係止部を備える。また、係止部における外装筐体の底面部からの高さ位置は、上述したように設定されている。
このことにより、固定部を外装筐体の底面部に固定し、係止部を投射口に係止させれば、底面部から離間した位置で係止部が投射口に係止しているため、素子保持具における底面部から離間した側が外装筐体の前面部に対して近接隔離する方向に移動することがない。すなわち、外装筐体に対して、光学素子を良好に位置決めすることができる。
【図面の簡単な説明】
【００１５】
【図１】本実施形態におけるプロジェクションシステムの使用形態を示す斜視図。
【図２】本実施形態における第１，第２プロジェクターの配置状態を示す斜視図。
【図３】本実施形態における第１プロジェクターの構成を模式的に示す図。
【図４】本実施形態における第２プロジェクターの構成を模式的に示す図。
【図５】本実施形態における第１素子保持具の構成を示す図。
【図６】本実施形態における第１素子保持具の構成を示す図。
【図７】本実施形態における固定部の機能を説明するための図。
【発明を実施するための形態】
【００１６】
以下、本発明の一実施形態を図面に基づいて説明する。
〔プロジェクションシステムの構成〕
図１は、本実施形態におけるプロジェクションシステム１の使用形態を示す斜視図である。
図２は、第１，第２プロジェクター２Ｕ，２Ｄの配置状態を示す斜視図である。具体的に、図２は、第１，第２プロジェクター２Ｕ，２Ｄの配置状態を前方側（投射側）から見た斜視図である。
本実施形態では、プロジェクションシステム１は、反射型のスクリーンＳｃ（図１）上に投射画像ＰＦ（図１）を表示するとともに、観察者に投射画像ＰＦを立体視させる３Ｄプロジェクションシステムで構成されている。
そして、プロジェクションシステム１は、図１または図２に示すように、第１プロジェクター２Ｕと、第２プロジェクター２Ｄと、偏光眼鏡３（図１）とを備える。
なお、本実施形態では、第１，第２プロジェクター２Ｕ，２Ｄは、図２に示すように、支持具４に固定されることで、上下方向（鉛直方向）に並設されている。
【００１７】
〔第１プロジェクターの構成〕
図３は、第１プロジェクター２Ｕの構成を模式的に示す図である。
なお、図３において、紙面に直交する方向は、図１及び図２の上下方向に相当するものである。
第１プロジェクター２Ｕは、左目用画像（画像光）を形成してスクリーンＳｃ上に投射する。
この第１プロジェクター２Ｕは、図１ないし図３に示すように、第１プロジェクター本体２０Ｕと、第１光学素子２３Ｕ（図２，図３）と、第１素子保持具２４Ｕ（図１，図２）とを備える。
なお、図３では、説明の便宜上、第１素子保持具２４Ｕの図示を省略している。
第１プロジェクター本体２０Ｕは、画像投射装置としての光学ユニット２１（図３）と、光学ユニット２１が内部に収納される外装筐体２２（図１〜図３）とを備える。
【００１８】
〔光学ユニットの構成〕
以下では、説明の便宜上、図３中、紙面に直交する偏光方向を有する直線偏光を第１直線偏光Ｓと記載し、第１直線偏光Ｓの偏光方向に直交し、図３中、紙面に平行となる偏光方向を有する直線偏光を第２直線偏光Ｐとして記載する。
光学ユニット２１は、図３に示すように、３つの液晶パネル２１１と、３つの入射側偏光板２１２と、３つの出射側偏光板２１３と、２つの１／２波長板２１４と、色合成光学装置としてのクロスダイクロイックプリズム２１５と、波長選択性偏光回転素子２１６と、投射光学装置としての投射レンズ２１７とを備える。
【００１９】
３つの入射側偏光板２１２は、第１直線偏光Ｓの偏光方向と同一方向の透過軸を有する。すなわち、光源装置（図示略）から出射され３つの入射側偏光板２１２に入射した赤、緑、青の各色光Ｒ，Ｇ，Ｂは、図３に示すように、各入射側偏光板２１２から第１直線偏光Ｓとして出射される。
３つの出射側偏光板２１３は、入射側偏光板２１２の透過軸に対して直交する透過軸を有する。すなわち、各入射側偏光板２１２から出射され、各液晶パネル２１１を介して各出射側偏光板２１３に入射した各色光Ｒ，Ｇ，Ｂ（各画像）のうち第２直線偏光Ｐ成分の光は、図３に示すように、各出射側偏光板２１３から出射される。
【００２０】
２つの１／２波長板２１４は、図３に示すように、赤、青の各色光Ｒ，Ｂの光路において、各出射側偏光板２１３とクロスダイクロイックプリズム２１５との間に配設されている。すなわち、図３に示すように、各出射側偏光板２１３から出射された赤、緑、青の各色光Ｒ，Ｇ，Ｂ（第２直線偏光Ｐ）のうち、色光Ｒ，Ｂのみが各１／２波長板２１４にて第１直線偏光Ｓに変換される。
【００２１】
クロスダイクロイックプリズム２１５は、図３に示すように、平面視で略Ｘ字状に交差する一対の誘電体多層膜２１５Ａ，２１５Ｂを有する。
一方の誘電体多層膜２１５Ａは、赤色光Ｒを反射させる。また、他方の誘電体多層膜２１５Ｂは、青色光Ｂを反射させる。そして、これらの誘電体多層膜２１５Ａ，２１５Ｂによって赤、青の各色光Ｒ，Ｂは折り曲げられ、緑色光Ｇの進行方向と揃えられることで、３つの色光Ｒ，Ｇ，Ｂが合成される。
【００２２】
波長選択性偏光回転素子２１６は、クロスダイクロイックプリズム２１５で合成された３つの色光Ｒ，Ｇ，Ｂのうち、緑色光Ｇに対応する波長域の偏光軸を９０度回転させ、当該光束の偏光方向を、図３に示すように、第１直線偏光Ｓの偏光方向に揃える。このような波長選択性偏光回転素子２１６は、例えば、特開２０１０−２０４３３３号公報に開示されている。
そして、波長選択性偏光回転素子２１６で第１直線偏光Ｓに揃えられた３つの色光Ｒ，Ｇ，Ｂは、図３に示すように、外装筐体２２の前面部２２１に形成された矩形状の投射口２２１Ａを介して投射レンズ２１７によって投射される。
すなわち、第１プロジェクター本体２０Ｕは、３つの色光Ｒ，Ｇ，Ｂ（左目用画像）を第１直線偏光Ｓで投射する。
【００２３】
〔第１光学素子の構成〕
第１光学素子２３Ｕは、第１素子保持具２４Ｕにより第１プロジェクター本体２０Ｕに装着され、図３に示すように、投射レンズ２１７の光路下流側に位置付けられる。
この第１光学素子２３Ｕは、図３に示すように、第１補助偏光板２３１Ｕと、第１円偏光変換部２３２Ｕとを備える。
第１補助偏光板２３１Ｕは、第１円偏光変換部２３２Ｕの光路上流側に配設されている。
そして、第１プロジェクター本体２０Ｕにて投射された各色光Ｒ，Ｇ，Ｂ（第１直線偏光Ｓ）は、第１補助偏光板２３１Ｕをそのまま透過する。
すなわち、第１補助偏光板２３１Ｕは、第１プロジェクター本体２０Ｕから投射される光束の偏光度を高めるために用いられている。
第１円偏光変換部２３２Ｕは、１／４波長板で構成されている。
そして、第１円偏光変換部２３２Ｕは、第１プロジェクター本体２０Ｕから投射され、第１補助偏光板２３１Ｕを介した各色光Ｒ，Ｇ，Ｂ（第１直線偏光Ｓ）を第１の円偏光に変換する。
【００２４】
〔第２プロジェクターの構成〕
図４は、第２プロジェクター２Ｄの構成を模式的に示す図である。
なお、図４において、紙面に直交する方向は、図１及び図２の上下方向に相当するものである。
第２プロジェクター２Ｄは、右目用画像（画像光）を形成してスクリーンＳｃ上に投射する。
この第２プロジェクター２Ｄは、図１、図２または図４に示すように、第２プロジェクター本体２０Ｄと、第２光学素子２３Ｄ（図２，図４）と、第２素子保持具２４Ｄ（図１，図２）とを備える。
なお、図４では、説明の便宜上、第２素子保持具２４Ｄの図示を省略している。
【００２５】
第２プロジェクター本体２０Ｄは、図４に示すように、第１プロジェクター本体２０Ｕと同一の構成を有するものである。第２素子保持具２４Ｄについても同様である。
このため、以下では、第２光学素子２３Ｄについて説明する。
第２光学素子２３Ｄは、図４に示すように、第１補助偏光板２３１Ｕと同様の第２補助偏光板２３１Ｄと、第２円偏光変換部２３２Ｄとを備える。
第２円偏光変換部２３２Ｄは、第１円偏光変換部２３２Ｕと同様に１／４波長板で構成されているが、その機能が異なるものである。
すなわち、第２円偏光変換部２３２Ｄは、第２プロジェクター本体２０Ｄから投射され、第２補助偏光板２３１Ｄを介した各色光Ｒ，Ｇ，Ｂ（第１直線偏光Ｓ）を第１の円偏光とは異なる第２の円偏光に変換する。
【００２６】
〔偏光眼鏡の構成〕
偏光眼鏡３は、観察者が装着するものであり、図１、図３または図４に示すように、左目用透過部３１Ｌと、右目用透過部３１Ｒとを備える。
左目用透過部３１Ｌは、第１，第２プロジェクター２Ｕ，２Ｄから投射された左，右目用画像のうち、第１プロジェクター２Ｕから投射されスクリーンＳｃを介した左目用画像のみを透過させる。
この左目用透過部３１Ｌは、図３または図４に示すように、第１直線偏光変換部３２Ｌと、第１偏光板３３Ｌとを備える。
第１直線偏光変換部３２Ｌは、１／４波長板で構成されている。
そして、第１直線偏光変換部３２Ｌは、第１の円偏光を第１直線偏光Ｓに変換し、第２の円偏光を第２直線偏光Ｐに変換する。
第１偏光板３３Ｌは、第２直線偏光Ｐと同一方向の透過軸を有する偏光板であり、図３または図４に示すように、第１直線偏光変換部３２Ｌに対して観察者側に設けられる。
【００２７】
右目用透過部３１Ｒは、第１，第２プロジェクター２Ｕ，２Ｄから投射された左，右目用画像のうち、第２プロジェクター２Ｄから投射されスクリーンＳｃを介した右目用画像のみを透過させる。
この右目用透過部３１Ｒは、図３または図４に示すように、第２直線偏光変換部３２Ｒと、第１偏光板３３Ｌと同様の第２偏光板３３Ｒとを備える。
第２直線偏光変換部３２Ｒは、第１直線偏光変換部３２Ｌと同様に１／４波長板で構成されているが、その機能が異なる。
すなわち、第２直線偏光変換部３２Ｒは、第１直線偏光変換部３２Ｌとは逆に、第１の円偏光を第２直線偏光Ｐに変換し、第２の円偏光を第１直線偏光Ｓに変換する。
【００２８】
そして、スクリーンＳｃ上の投射画像ＰＦは、偏光眼鏡３を通して、以下に示すように、観察者に視認されることとなる。
すなわち、第１プロジェクター本体２０Ｕから投射された左目用画像（第１直線偏光Ｓ）は、第１円偏光変換部２３２Ｕにより第１の円偏光に変換されるとともに、スクリーンＳｃで反射されることで第２の円偏光に変換される。
第２の円偏光に変換された左目用画像は、左目用透過部３１Ｌに入射した際、第１直線偏光変換部３２Ｌにて第２直線偏光Ｐに変換され、第１偏光板３３Ｌを透過する。
また、第２の円偏光に変換された左目用画像は、右目用透過部３１Ｒに入射した際、第２直線偏光変換部３２Ｒにて第１直線偏光Ｓに変換され、第２偏光板３３Ｒで遮断される。
したがって、スクリーンＳｃ上の投射画像ＰＦに含まれる左目用画像は、観察者の左目のみで視認される。
【００２９】
一方、第２プロジェクター本体２０Ｄから投射された右目用画像（第１直線偏光Ｓ）は、第２円偏光変換部２３２Ｄにより第２の円偏光に変換されるとともに、スクリーンＳｃで反射されることで第１の円偏光に変換される。
第１の円偏光に変換された右目用画像は、左目用透過部３１Ｌに入射した際、第１直線偏光変換部３２Ｌにて第１直線偏光Ｓに変換され、第１偏光板３３Ｌで遮断される。
また、第１の円偏光に変換された右目用画像は、右目用透過部３１Ｒに入射した際、第２直線偏光変換部３２Ｒにて第２直線偏光Ｐに変換され、第２偏光板３３Ｒを透過する。
したがって、スクリーンＳｃ上の投射画像ＰＦに含まれる右目用画像は、観察者の右目のみで視認される。
以上のことから、観察者は、スクリーンＳｃ上の投射画像ＰＦを視差により立体視する。
【００３０】
〔第１，第２素子保持具の構成〕
図５及び図６は、第１素子保持具２４Ｕの構成を示す図である。具体的に、図５（Ａ）は第１素子保持具２４Ｕを前方側から見た図であり、図５（Ｂ）は第１素子保持具２４Ｕの裏側を見た図である。図６は、第１素子保持具２４Ｕを前方側から見た分解斜視図である。
なお、以下では、説明の便宜上、第１プロジェクター本体２０Ｕからの画像の投射方向をＺ軸（投射方向を＋、投射方向の逆方向を−）、当該Ｚ軸に直交する水平軸をＸ軸、当該Ｚ軸に直交する鉛直軸をＹ軸（上方側を＋、下方側を−）とする（図５，図６）。
第１素子保持具２４Ｕは、第１光学素子２３Ｕを保持するとともに、第１プロジェクター本体２０Ｕの外装筐体２２に対して着脱自在に装着される。
なお、第２素子保持具２４Ｄは、第１素子保持具２４Ｕと同様に構成されたものであり、保持する対象（第２光学素子２３Ｄ）、及び装着される対象（第２プロジェクター本体２０Ｄの外装筐体２２）が異なるのみである。
このため、以下では、第１素子保持具２４Ｕの構成を主に説明する。
第１素子保持具２４Ｕは、図５または図６に示すように、第１保持部材２５と、第２保持部材２６とを備える。
【００３１】
〔第１保持部材の構成〕
第１保持部材２５は、図５または図６に示すように、−Ｚ軸側に第１開口部２５１を有する容器状に形成され、第１素子保持具２４Ｕが外装筐体２２に装着された状態で、外装筐体２２の前面部２２１における投射口２２１Ａの周囲を覆うように位置付けられる。
この第１保持部材２５において、容器状の底部分２５２は、Ｘ軸方向の略中央部分が他の部分に対して＋Ｚ軸側に位置し、Ｙ軸方向に沿って見た場合に、＋Ｚ軸側に凸となる湾曲形状を有している。
そして、容器状の底部分２５２において、Ｘ軸方向の略中央部分には、図５（Ａ）または図６に示すように、投射口２２１Ａよりもサイズの大きい矩形状の第２開口部２５２Ａが形成されている。
なお、第１素子保持具２４Ｕが第１プロジェクター本体２０Ｕに装着された状態では、第２開口部２５２Ａの中心位置Ｃ１（図５，図６）は、Ｚ軸に沿う方向から見て、投射口２２１Ａの中心位置Ｃ２（図５，図６）に略合致するものである。
【００３２】
また、底部分２５２の裏側（−Ｚ軸側）には、図６に示すように、一対のネジＳ１により第１保持部材２５に対して第２保持部材２６を取り付けるためのネジ孔（図示略）を有する一対のネジ固定部２５２Ｂが形成されている。
なお、図６では、一対のネジ固定部２５２Ｂのうち、１つのネジ固定部２５２Ｂのみを図示している。
【００３３】
また、第１保持部材２５において、図５または図６中、上方側の側壁部分２５３には、−Ｚ軸側の端縁から＋Ｚ軸側に向けて切り欠かれた第１切欠部２５３Ａ（図５（Ｂ）、図６）が形成されている。
さらに、第１保持部材２５において、図５または図６中、下方側の側壁部分２５４には、−Ｚ軸側の端縁から＋Ｚ軸側に向けて切り欠かれた第２切欠部２５４Ａ（図５，図６）が形成されている。そして、第１保持部材２５は、第１，第２切欠部２５３Ａ，２５４Ａを除く周縁部２５５（図２、図５（Ｂ）、図６）が前面部２２１に略沿う形状を有している。
【００３４】
〔第２保持部材の構成〕
第２保持部材２６は、第１保持部材２５の内部（第１保持部材２５に対して画像光の光路上流側）に取り付けられ、第１保持部材２５との間で第１光学素子２３Ｕを挟持する。
この第２保持部材２６は、図６に示すように、挟持部２６１と、一対の取付部２６２と、装着部２６３とを備える。
挟持部２６１は、断面略矩形枠形状を有し、Ｚ軸に沿って延びる筒体で構成されている。
そして、挟持部２６１は、＋Ｚ軸側の端部と第１保持部材２５における底部分２５２の裏面との間で、第２開口部２５２Ａが第１光学素子２３Ｕで閉塞されるように、第１光学素子２３Ｕを挟持する。
【００３５】
一対の取付部２６２は、挟持部２６１におけるＸ軸方向に交差する各側壁部２６１Ａ，２６１Ｂの外面に接続し、ＸＹ平面に略沿って延びる板体で構成されている。
そして、一対の取付部２６２には、図５（Ｂ）または図６に示すように、Ｚ軸方向に貫通し、一対のネジＳ１がそれぞれ挿通される第１挿通用孔２６２Ａがそれぞれ形成されている。
装着部２６３は、第１素子保持具２４Ｕを第１プロジェクター本体２０Ｕに装着するために用いられる。
この装着部２６３は、図５または図６に示すように、固定部２６４と、一対の係止部２６５Ａ，２６５Ｂとを備える。
【００３６】
図７は、固定部２６４の機能を説明するための図である。具体的に、図７は、第１プロジェクター本体２０Ｕに対して第１素子保持具２４Ｕが装着された状態を外装筐体２２における前面部２２１に交差する底面部２２２側から見た図である。
固定部２６４は、挟持部２６１における下方側（図６中、下方側）の側壁部２６１Ｃの外面に接続し、下方側に延びるとともに、先端部分がＸＺ平面に略沿って延びる板体で構成されている。
【００３７】
この固定部２６４には、図６または図７に示すように、Ｙ軸方向に貫通し、一対のネジＳ２（図７）がそれぞれ挿通される一対の第２挿通用孔２６４Ａが形成されている。
以上説明した固定部２６４は、第１プロジェクター本体２０Ｕに対して第１素子保持具２４Ｕが装着された状態で、図７に示すように、第１保持部材２５と外装筐体２２との隙間（第２切欠部２５４Ａ）を介して、底面部２２２に対向する位置に引き出される。
【００３８】
一対の係止部２６５Ａ，２６５Ｂは、図５（Ｂ）または図６に示すように、挟持部２６１における各側壁部２６１Ａ，２６１Ｂの内面にそれぞれ接続し、第１プロジェクター本体２０Ｕに対して第１素子保持具２４Ｕを装着した状態で、投射口２２１Ａに係止される部分である。
なお、一対の係止部２６５Ａ，２６５Ｂは、同様の構成を有しているため、以下では、＋Ｚ軸側から見て左側に位置する係止部２６５Ａを主に説明し、係止部２６５Ｂについては同一の符号を付してその説明を省略する。
【００３９】
係止部２６５Ａは、図５（Ｂ）または図６に示すように、第１，第２突出部２６６，２６７と、爪部２６８とを備える。
第１突出部２６６は、側壁部２６１Ａの内面から突出する部分である。
第２突出部２６７は、第１突出部２６６の先端部分に接続し、当該先端部分から−Ｚ軸側に突出する部分である。
爪部２６８は、第２突出部２６７の先端部分に接続し、当該先端部分から側壁部２６１Ａ側に突出する部分である。
以上のように、係止部２６５Ａは、鉤形状を有する。
そして、係止部２６５Ａは、その材質や形状により、弾性変形可能に構成されている。
【００４０】
また、本実施形態では、一対の係止部２６５Ａ，２６５Ｂは、Ｚ軸に沿う方向から見て、図５（Ｂ）に示すように、第２開口部２５２Ａの中心位置Ｃ１よりも図５（Ｂ）中、上方側に設けられているとともに、Ｘ軸方向に沿って互いに対向する位置に設けられている。
すなわち、第１プロジェクター本体２０Ｕに第１素子保持具２４Ｕが装着された状態で、一対の係止部２６５Ａ，２６５Ｂにおける底面部２２２（図５（Ｂ）中の一点鎖線）からの高さ位置は、投射口２２１Ａの中心位置Ｃ２（第２開口部２５２Ａの中心位置Ｃ１）における底面部２２２からの高さ位置よりも高くなるように設定されている。
【００４１】
そして、上述した第１素子保持具２４Ｕは、第１プロジェクター本体２０Ｕに対して、以下に示すように、装着される。
先ず、利用者は、第１素子保持具２４Ｕを手に持ち、固定部２６４が第１プロジェクター本体２０Ｕの底面部２２２に当接し、Ｚ軸方向から見て投射口２２１Ａの中心位置Ｃ２に第２開口部２５２Ａの中心位置Ｃ１が略合致するように、第１素子保持具２４Ｕを第１プロジェクター本体２０Ｕにあてがう。
【００４２】
また、利用者は、第１素子保持具２４Ｕを−Ｚ軸側に押し込む。
このように押し込むと、一対の係止部２６５Ａ，２６５Ｂが投射口２２１Ａの縁部分にて押圧されて弾性変形しながら、各先端部分が投射口２２１Ａを介して外装筐体２２内部に入り込む。そして、一対の爪部２６８が投射口２２１Ａの縁部分に引っ掛かる。
さらに、利用者は、一対の第２挿通用孔２６４Ａに一対のネジＳ２をそれぞれ挿通し、底面部２２２に形成された一対のネジ孔（図示略）に一対のネジＳ２を螺合することで、固定部２６４を底面部２２２に固定する。
以上のような作業により、第１プロジェクター本体２０Ｕに対して、第１素子保持具２４Ｕが装着される。
【００４３】
なお、一対のネジＳ２を取り外し、第１素子保持具２４ＵをＸ軸方向に移動させれば、投射口２２１Ａに対する一対の係止部２６５Ａ，２６５Ｂの係止状態が解除される。すなわち、このような作業により、第１素子保持具２４Ｕは、第１プロジェクター本体２０Ｕから取り外される。
【００４４】
上述した本実施形態によれば、以下の効果がある。
本実施形態では、第１プロジェクター２Ｕは、第１素子保持具２４Ｕを備える。
このことにより、第１光学素子２３Ｕを外装筐体２２外面に装着した状態、及び第１光学素子２３Ｕが外装筐体２２外面に装着されていない状態の双方の状態で第１プロジェクター２Ｕを利用することができ、第１プロジェクター２Ｕの利用形態が固定されない。このため、利便性の向上が図れる。
また、第１素子保持具２４Ｕは、第１保持部材２５と、装着部２６３が設けられた第２保持部材２６とを備える。
すなわち、第１保持部材２５により外部から視認され難い位置に配設される第２保持部材２６に装着部２６３が設けられているので、外装筐体２２に対する第１素子保持具２４Ｕの固定構造が視認され難いものとなる。このため、第１プロジェクター２Ｕの外観を好ましいものとすることができる。
【００４５】
さらに、装着部２６３が固定部２６４を備えるので、外装筐体２２に対する第１素子保持具２４Ｕの固定状態を安定化させることができる。
また、固定部２６４が外部から視認され難い外装筐体２２の底面部２２２に固定されるので、外装筐体２２に対する第１素子保持具２４Ｕの固定状態を安定化させつつ、第１プロジェクター２Ｕの外観を好ましいものとすることができる。
【００４６】
さらに、装着部２６３が一対の係止部２６５Ａ，２６５Ｂを備えるので、外装筐体２２に対して第１素子保持具２４Ｕを利用者に容易に着脱させることができる。
また、一対の係止部２６５Ａ，２６５Ｂが投射口２２１Ａに係止されるので、第１保持部材２５にて一対の係止部２６５Ａ，２６５Ｂを覆い隠すことができる。このため、外装筐体２２に対する第１素子保持具２４Ｕの着脱の容易化を図りながら、第１プロジェクター２Ｕの外観を好ましいものとすることができる。
【００４７】
さらに、一対の係止部２６５Ａ，２６５Ｂにおける底面部２２２からの高さ位置は、投射口２２１Ａの中心位置Ｃ２における底面部２２２からの高さ位置よりも高くなるように設定されている。
このことにより、固定部２６４を底面部２２２に固定し、一対の係止部２６５Ａ，２６５Ｂを投射口２２１Ａに係止させれば、底面部２２２から離間した位置で一対の係止部２６５Ａ，２６５Ｂが投射口２２１Ａに係止しているため、第１素子保持具２４Ｕにおける底面部２２２から離間した側が前面部２２１に対して近接隔離する方向に移動することがない。すなわち、外装筐体２２に対して、第１光学素子２３Ｕを良好に位置決めすることができる。
【００４８】
また、第１保持部材２５に第１切欠部２５３Ａが形成されているので、外装筐体２２に第１素子保持具２４Ｕを装着した場合であっても、投射口２２１Ａを開閉するレンズシャッター用のレバー２２３（図２，図６）を露出させ、このレバー２２３の操作も行うことができる。
さらに、外装筐体２２に対して第１素子保持具２４Ｕを装着すれば、投射口２２１Ａを介して塵埃等が外装筐体２２内部に侵入し、液晶パネル２１１等の光学素子に塵埃が付着することも抑制できる。
【００４９】
なお、本発明は前述の実施形態に限定されるものではなく、本発明の目的を達成できる範囲での変形、改良等は本発明に含まれるものである。
前記実施形態では、第１素子保持具２４Ｕは、１／４波長板（第１円偏光変換部２３２Ｕ）及び偏光板（第１補助偏光板２３１Ｕ）で構成された第１光学素子２３Ｕを保持していたが、これに限らず、その他の光学素子を保持する構成としても構わない。なお、第２素子保持具２４Ｄでも同様である。
【００５０】
例えば、光学素子として、上述した１／４波長板の代わりに１／４波長板及び１／２波長板を組み合わせた広帯域位相差板を用いた構成を採用しても構わない。
また、例えば、光学素子として、入射した光束のうち、所定の波長域の光束のみを透過させるカラーフィルターを採用しても構わない。
さらに、例えば、光学素子として、上述した１／４波長板を省略し、偏光板のみを用いた構成を採用しても構わない。
また、例えば、光学素子として、上述した１／４波長板の代わりに１／２波長板を用いた構成を採用しても構わない。
【００５１】
前記実施形態において、装着部２６３として、一対の係止部２６５Ａ，２６５Ｂを省略して固定部２６４のみを用いた構成や、固定部２６４を省略して一対の係止部２６５Ａ，２６５Ｂのみを用いた構成を採用しても構わない。
前記実施形態において、係止部２６５Ａ，２６５Ｂは、２つ設けられていたが、その数は、１つでも、３つ以上でも構わない。
また、係止部２６５Ａ，２６５Ｂの形成位置は、前記実施形態で説明した形成位置に限らず、その他の位置、例えば、挟持部２６１における上方側（図６中、上方側）の側壁部２６１Ｄ（図６）の内面に係止部を形成しても構わない。
【産業上の利用可能性】
【００５２】
本発明は、プレゼンテーションやホームシアター等に用いられるプロジェクターに利用できる。
【符号の説明】
【００５３】
２Ｕ・・・第１プロジェクター、２Ｄ・・・第２プロジェクター、２０Ｕ・・・第１プロジェクター本体、２０Ｄ・・・第２プロジェクター本体、２１・・・光学ユニット（画像投射装置）、２２・・・外装筐体、２３Ｕ・・・第１光学素子、２３Ｄ・・・第２光学素子、２４Ｕ・・・第１素子保持具、２４Ｄ・・・第２素子保持具、２５・・・第１保持部材、２６・・・第２保持部材、２２１・・・前面部、２２１Ａ・・・投射口、２２２・・・底面部、２６３・・・装着部、２６４・・・固定部、２６５Ａ，２６５Ｂ・・・係止部、Ｃ２・・・投射口の中心位置、Ｓ２・・・ネジ。
【図１】
2013218183.tif 000003
【図２】
2013218183.tif 000004
【図３】
2013218183.tif 000005
【図４】
2013218183.tif 000006
【図５】
2013218183.tif 000007
【図６】
2013218183.tif 000008
【図７】
2013218183.tif 000009